(57)【要約】      （修正有）【課題】鉛筆の太さのばらつきに対応させることが可能な鉛筆削器を提供する。【解決手段】ケース１０の一側面に設けられた鉛筆差込口１１から内部に向かう鉛筆導入部１３と、縮径する円錐状の鉛筆保持部１４とを備え、鉛筆保持部に設けられたスリットに沿って切削刃１６を設けた構造の鉛筆削器１において、鉛筆導入部を筒部材１３ａによって構成し、その内周に鉛筆の周側面に圧接されるＯリング１８を固定した。鉛筆の周側面がＯリングで保持されるので、切削刃に対して均一の傾きで圧接させながら鉛筆を回転させることができる。【選択図】図３
2018176674.tif 000002
【特許請求の範囲】
【請求項１】
ケース（１０）の一側面に設けられた鉛筆差込口（１１）から内部に向かう鉛筆導入部（１３）と、縮径する円錐状の鉛筆保持部（１４）と、を備え、該鉛筆保持部（１４）に設けられたスリット（１５）に沿って切削刃（１６）を設けて構成された鉛筆削器（１）であって、前記鉛筆導入部（１３）を筒部材（１３ａ）によって構成し、該筒部材（１３ａ）の内周に、鉛筆の周側面に圧接されるＯリング（１８）を固定したことを特徴とする鉛筆削器。
【請求項２】
前記筒部材（１３ａ）は、ベアリング（１９）を介して前記ケース（１０）に回転可能に固定され、
前記鉛筆差込口（１１）に挿入された鉛筆（２）と共に、該筒部材（１３ａ）が回転されることで、前記鉛筆（２）が切削されるように構成されたことを特徴とする請求項１に記載の鉛筆削器。
【請求項３】
前記筒部材（１３ａ）を前記ケース（１０）に固定し、
前記Ｏリング（１８）の湾曲状の周側面に摺接しながら前記鉛筆（２）が回転して切削されることを特徴とする請求項１に記載の鉛筆削器。
【請求項４】
鉛筆芯（３）の径に対応する内径（Ｒ）を有し、鉛筆径（Ｘ）よりも小さい外径（Ｙ）を有する平坦面からなるリング部（４）と、該リング部（４）から連続するテ―パ部（５）と、となる本体部（６）と、
前記リング部（４）から露呈された芯部（３）と、を有する鉛筆（２）を作成するための鉛筆削器（１）であって、
前記鉛筆保持部（１４）の先端に、保持された鉛筆（２）の芯（３）が現れる前に切削を停止させるストッパ（１７）を配設し、
芯（３）が現れる前の鉛筆（２）が挿入される第２の鉛筆差込口（２１）を、前記鉛筆差込口（１１）に隣接させて配設し、
該第２の鉛筆差込口（２１）から内部に向けて第２の鉛筆導入部（２３）と、第２の鉛筆保持部（２４）と、を設け、
前記第２の鉛筆保持部（２３）に、差し込まれた鉛筆（２）に対して略直交方向に刃先が延びる第２の切断刃（２６）を設け、
該第２の切断刃（２６）によって前記テ―パ部（５）が切削されて芯部（３）が露呈されるように構成したことを特徴とする請求項１〜請求項３に記載の鉛筆削器。
【請求項５】
鉛筆芯（３）の径に対応する内径（Ｒ）を有し、鉛筆径（Ｘ）よりも小さい外径（Ｙ）を有する平坦面からなるリング部（４）と、該リング部（４）から本体部（６）の周側面に連続するテ―パ部（５）と、からなる本体部（６）と、
前記リング部（４）から露呈された芯部（３）と、を有する鉛筆（２）を作成するための鉛筆削器（１０１）であって、
前記鉛筆保持部（１４）の傾斜面に設けられた前記切削刃（１６）の先端部よりも、前記鉛筆差込口（１１）よりの位置に、前記鉛筆（２）に略直交する方向に刃先が延びる第２の切断刃（２６）を設け、前記鉛筆差込口（１１）に鉛筆を差し込んだ状態で鉛筆（２）を回転させることで、前記切断刃（１６）によって前記テ―パ部（５）が形成され、前記第２の切断刃（２６）によって前記リング部（４）が形成されて芯先（３）が露出されるように構成されたことを特徴とする請求項１〜請求項３に記載の鉛筆削器。
【発明の詳細な説明】
【技術分野】
【０００１】
本発明は、鉛筆を差し込んで回転させて削る鉛筆削器に関し、特に、鉛筆の太さのばらつきに対応することができる鉛筆削器に関する。
【背景技術】
【０００２】
手回し式の小型鉛筆削りとして、ケースの一側面に設けられた鉛筆差込口からケースの内部に向けて縮径する円錐状の保持部にスリットを設け、そのスリットに沿って切削刃を設けた構造のものが提案されている（特許文献１を参照）。
鉛筆の太さはＪＩＳ規格によれば８ｍｍとなっており、保持部はその規格に表せて設計されている。
【先行技術文献】
【特許文献】
【０００３】
【特許文献１】特開平１１−３０９９９４号公報
【発明の概要】
【発明が解決しようとする課題】
【０００４】
しかしながら、鉛筆の太さはメーカーによって僅かに異なっていたり、芯の中心性に偏りが存在したりするため、あらゆる鉛筆を均一に切削することが困難であった。
特に、規格サイズよりも細い鉛筆にあっては、ケース内の鉛筆保持部との間に隙間が生じ、その隙間分だけ鉛筆が傾き、回転させる際にガタつきが生じるので、切削不良が生じていた。
そこで、本発明は、ケース内に差し込まれた鉛筆を切削刃に対して均一の傾きで圧接させながら回転させることで、鉛筆の太さのばらつきに対応させることが可能な鉛筆削器の提供を目的とする。
【課題を解決するための手段】
【０００５】
上記課題を解決するために、本発明は、ケースの一側面に設けられた鉛筆差込口から内部に向かう鉛筆導入部と、縮径する円錐状の鉛筆保持部と、を備え、該鉛筆保持部に設けられたスリットに沿って切削刃を設けて構成された鉛筆削器であって、前記鉛筆導入部を筒部材によって構成し、該筒部材の内周に、鉛筆の周側面に圧接されるＯリングを固定したことを特徴とするものである。
【０００６】
この場合、前記筒部材は、ベアリングを介して前記ケースに回転可能に固定され、前記鉛筆差込口に挿入された鉛筆と共に、該筒部材が回転されることで、前記鉛筆が切削されるように構成されたものであってもよい。  
または、前記筒部材を前記ケースに固定し、前記Ｏリングの湾曲状の周側面に摺接しながら前記鉛筆が回転して切削されることを特徴とするものであってもよい。  
【０００７】
これらの場合、鉛筆芯の径に対応する内径を有し、鉛筆径よりも小さい外径を有する平坦面からなるリング部と、該リング部から連続するテ―パ部と、となる本体部と、前記リング部から露呈された芯部と、を有する鉛筆を作成するための鉛筆削器であって、前記鉛筆保持部の先端に、保持された鉛筆の芯が現れる前に切削を停止させるストッパを配設し、芯が現れる前の鉛筆が挿入される第２の鉛筆差込口を、前記鉛筆差込口に隣接させて配設し、該第２の鉛筆差込から内部に向けて第２の鉛筆導入部と、第２の鉛筆保持部と、を設け、前記第２の鉛筆保持部に、差し込まれた鉛筆に対して略直交方向に刃先が延びる第２の切断刃を設け、該第２の切断刃によって前記テ―パ部が切削されて芯部が露呈されるように構成したことを特徴とするものであってもよい。
【０００８】
または、鉛筆芯の径に対応する内径を有し、鉛筆径よりも小さい外径を有する平坦面からなるリング部と、該リング部から連続するテ―パ部と、からなる本体部と、前記リング部から露呈された芯部と、を有する鉛筆を作成するための鉛筆削器であって、前記鉛筆保持部の傾斜面に設けられた前記切削刃の先端部よりも、前記鉛筆差込口よりの位置に、前記鉛筆に略直交する方向に刃先が延びる第２の切断刃を設け、前記鉛筆差込口に鉛筆を差し込んだ状態で鉛筆を回転させることで、前記切断刃によって前記テ―パ部が形成され、前記第２の切断刃によって前記リング部が形成されて芯先が露出されるように構成されたものであってもよい。
【発明の効果】
【０００９】
請求項１に係る鉛筆削器は、鉛筆差込口から鉛筆保持部に向かう鉛筆導入部を筒部材によって構成し、その内周に、鉛筆の周側面に圧接されるＯリングを固定したので、鉛筆が回転される際に傾きが生じるのを防止することができる。これによって、ケース内に差し込まれた鉛筆を切削刃に対して均一の傾きで圧接させながら回転させることが可能となる。
請求項２に係る鉛筆削器は、鉛筆を導入するための筒部材を、ベアリングを介してケースに回転可能に固定させたので、鉛筆が導入される筒部材ごと、鉛筆芯を中心に回転させることができる。切削刃に対する角度を維持した状態で鉛筆を回転させることができるので、切削不良の発生をより効果的に防止できる。
【００１０】
請求項３に係る鉛筆削器は、弾性部材からなるＯリングの湾曲面上を、鉛筆が、自身の周側面を摺接させながら回転するので。鉛筆の太さにバラつきがある場合であっても、切削不良の発生を防止できる。
請求項４及び請求項５に係る鉛筆削器は、鉛筆芯の径に対応する内径を有し、鉛筆径よりも小さい外径を有する平坦面からなるリング部と、該リング部から前記本体部の周側面に連続するテ―パ部)と、からなる本体部と、前記リング部から露呈された芯部と、を有する形状に鉛筆を切削する際にも、鉛筆の太さのばらつきに対応することができる。色鉛筆や化粧用の鉛筆など、芯が柔らかい鉛筆にあっては、特にメーカーによる太さのばらつきがあり、これによって汎用的な鉛筆削器を提供することが可能となる。
【図面の簡単な説明】
【００１１】
【図１】本発明の第１実施形態に係る鉛筆削器を示す斜視図である。
【図２】上記鉛筆削器によって切削される鉛筆の形状を示す斜視図である。
【図３】上記鉛筆削器の第１の切削部の構成を示す縦断面図である。
【図４】上記鉛筆削器を分解した状態を示す斜視図である。
【図５】上記鉛筆削器の第２の切削部の構成を示す縦断面図である。
【図６】上記鉛筆削器を横方向に切断した状態を示す断面斜視図である。
【図７】上記鉛筆削器によって鉛筆を削る状態を示す斜視図であり、（ａ）は第１の切削部によって削られた状態、（ｂ）は第２の切削部によって削られた状態を示す。
【図８】上記鉛筆削器の変形例としての第１切削部の縦断面図であり、（ａ）は不使用状他、（ｂ）は使用状態を示す。
【図９】本発明の第２実施形態に係る鉛筆削器を示す斜視図である。
【図１０】上記鉛筆削器の縦断面図である。
【図１１】上記鉛筆削器の切削刃を示し、（ａ）は斜視図であり、（ｂ）は平面図である。
【図１２】上記切削刃の第１及び第２変形態様を示す斜視図である。
【図１３】上記切削刃の第３変形態様を示す説明図である。
【図１４】本発明の第３実施形態に係る鉛筆削器を示す断面図である。
【図１５】上記鉛筆削器の使用状態を示す斜視図である。
【発明を実施するための形態】
【００１２】
本発明の好適な実施形態を添付図面に基づいて説明する。本発明は、鉛筆を差し込んで回転させることで、ケース内に傾斜状に配設された切削刃によって削る構造の鉛筆削器に適用されるものであり、その実施形態の一例を下記に示す。
【実施例１】
【００１３】
図１は、本発明の第１実施形態に係る鉛筆削器１の斜視図である。この鉛筆削器１は、図２に示す形状に鉛筆２を切削するためのものであり、既切削鉛筆として提供されることの多い色鉛筆や化粧用鉛筆の切削形状として適するものである。
即ち、色鉛筆のように軟質な鉛筆芯３を有するものは、鉛筆芯３の径に対応する内径Ｒを有し、鉛筆径Ｘよりも小さい外径Ｙを有する平坦面からなるリング部４と、該リング部４から傾斜状のテ―パ部５を経て本体部６の周側面に連続する切削形状とすることで、芯の中折れを効果的に防止できることが実証されている。
【００１４】
本実施形態に係る鉛筆削器１は、このような形状に鉛筆を切削するためのもので、ケース１０の一側面に２つの鉛筆差込口１１，２１を備え、他側部に屑収集部１２を備えて構成される。
一方の鉛筆差込口１１は、本体部６を傾斜状に切削するための第１の鉛筆差込口１１であり、それに隣接する第２の鉛筆差込口２１は、傾斜状に切削されたテ―パ部５を、鉛筆芯３に対して直交する方向に切断するための差込口である。  
【００１５】
先ず、第１の鉛筆差込口１１の延長上に配置される第１の切削部について説明する。この切削部は、鉛筆の本体部６を傾斜状に切削するための部位であり、図３に示すように、第１の鉛筆差込口１１から、内部に向かう鉛筆導入部１３と、縮径する円錐状の鉛筆保持部１４と、を備えて構成される。
鉛筆保持部１４にはスリット１５が設けられており、そのスリット１５に沿って切削刃１６が傾斜状に配設される（図４を参照）。この鉛筆保持部１４の先端に、保持された鉛筆の芯が現れる前に切削を停止させるためのストッパ１７が配設される。
【００１６】
このように第１の切削部を構成することで、弟１の鉛筆差込口１１に挿入された鉛筆が回転されることで本体部６が傾斜状に切削されていき、鉛筆芯３が現れる前に切削が停止されるので、木製の本体部６と同時に鉛筆芯３が削られないようにすることができる。そのため、鉛筆芯３との本体部６との間の接着材が剥がれるのを防止することができ、鉛筆芯３の中折れを効果的に防止することができる。
次に、第１の切削部と並んで形成される第２の切削部について説明する。
【００１７】
第１の鉛筆差込口１１に隣接して配置された第２の鉛筆差込口２１からも、内部に向かい鉛筆導入部２３が設けられ、その先端に鉛筆保持部２４が形成される(図５を参照)。
この鉛筆保持部２４は、図６に示すように、縮径する円錐台の形状をなし、その先端部に、差し込まれた鉛筆に対して略直交方向に刃先が延びる第２の切断刃２６が配設されている。
第２の切削刃２６は、図７（ａ）のように切削された鉛筆２のテ―パ部５を、その中間部から鉛筆芯３に向けて切削することにより、鉛筆芯３を露呈させるものであり（図７（ｂ）を参照）、差し込まれた鉛筆２に対して略直交方向に刃先を向けた状態で、鉛筆芯３の周りを相対的に回転する。第２の切削刃２６の刃先は、鉛筆芯３を傷つけることなく露呈させることができるような位置まで延びている。
【００１８】
このように第２の切削部を構成すれば、第１の切削部による切削によって形成されたテ―パ部５の先端を切り落とし、リング部４から鉛筆芯３が露呈された状態とすることができる。
このような鉛筆削器１において、本発明は、第１及び弟２の鉛筆差込口１１、２１から内部に向かう鉛筆導入部１３，２３を筒部材１３ａ，２３ａによって構成し、その筒部材１３ａ，２３ａの内周に、鉛筆の周側面に摺接されるＯリング１８，２８を固定したことを特徴とする。
【００１９】
即ち、本発明は、ケース内に差し込まれた鉛筆を切削刃１６，２６に対して均一の傾きで圧接させながら回転させることを可能とするものであり、特に本実施形態においては、鉛筆導入部１３、２３としての筒部材１３ａ，２３ａを、ベアリング１９，２９を介してケース１０に回転可能に固定したことを特徴とする。
これによって、鉛筆差込口１１，２１に挿入された鉛筆と共に筒部材１３ａ、２３ａが回転された際に、鉛筆芯３を中心に安定した回転となり、更に、この鉛筆導入部１３，２３において、鉛筆２の周側面がＯリング１８，２８によって固定されるので、鉛筆が回転される際に傾きが生じるのを防止することができる。そのため、鉛筆を切削刃１６，２６に対して均一の傾きで圧接させることが可能となる。
【００２０】
筒部材１３ａ，２３ａに鉛筆２をしっかり固定させるために、Ｏリング１８，２８はシリコンゴムによって構成するのが好ましい。また、硬度が５０度程度の弾性部材を用いることで、筒部材１３ａ，２３ａと鉛筆２の一体性を担保することができる。
筒部材１３ａ，２３ａを回転可能に取り付けるためのベアリング１９は、内側ホルダ１９ａ，２９ａと、外側ホルダ１９ｂ，２９ｂとの間に回転可能に介装される。
筒部材１３ａ,２３ａに圧接される内側ホルダ１９ａ，２９ａと、ケース１０に固定される外側ホルダ１９ｂ，２９ｂとの間にベアリング１９が介装されるので、滑らかな回転は確保される。
【００２１】
ベアリング１９の外側ホルダ１９ｂ、２９ｂは、鉛筆導入部１３，２３に固定された外筒部材１３ｂ、２３ｂに圧接されており、鉛筆保持部１４，２４を介してケース１０に固定された切削刃１６，２６に対し、均一の傾きで圧接させることが可能となる。これによって、鉛筆芯３に対する中心性を維持した状態で筒部材１３ａ，２３ａを回転させることが可能となり、図２の形状に鉛筆を切削することが可能となる。
上記鉛筆削器１の使用状態を説明する。
まず、第１の鉛筆差込口１１に鉛筆を差し込んで回転させる。ストッパ１７に当接するまで回転させることで、鉛筆の周側面が傾斜状に削り取られ、先端にテ―パ部５が形成される（図７（ａ）を参照）。
【００２２】
その後、第１の鉛筆差込口１１から鉛筆を取り出し、第２の鉛筆差込口２１に挿入する。鉛筆は第２の保持部２４ｂに保持させた状態で回転され、テ―パ部５の先端が割り取られて芯先が露呈される（図７（ｂ）を参照）。
鉛筆芯３が現れる前に、鉛筆の周りを傾斜状に横削りする工程が停止されるので、鉛筆芯３と共に、木製の本体部が切削されることがなく、本体部2と鉛筆芯3との間に抗力が発生することがない。これによって、本体部２と鉛筆芯３との間の接着材が剥がれるのを防止することができ、本体部６の内部における芯折れ（中折れ）を防止することができる。
【００２３】
本実施形態に係る鉛筆削器１は、鉛筆差込口１１，２１から鉛筆保持部１４，２４までの間に長い保持空間（即ち、鉛筆導入部１３，２３）を設け、その保持空間に配設された筒部材１３ａ，２３ａを鉛筆と共に回転させるように構成したが、図８に示す鉛筆削器１’のように、筒部材１３ａ’，２３ｂ’をケース１０に固定し、筒部材１３ａ’，２３ａ’の中で鉛筆を回転させるようにしてもよい。
筒部材１３ａ’,２３ａ’は、外筒部材１３ｂ’、２３ｂ’を介してケース１０に固定されている。筒部材１３ａ’，２３ａ’の内周面には、湾曲状の周側面からなるＯリング１８’が取り付けられている。このＯリング１８’は、弾性変形によって差し込まれた鉛筆２を保持しつつ、滑らかな湾曲面に摺接されながら鉛筆２を回転させる。
【００２４】
鉛筆２は、Ｏリング１８’の湾曲面上を自身の周側面を摺接させながら回転するので、鉛筆芯３を中心として安定に回転させることができる。鉛筆２の太さにバラつきがある場合であっても、Ｏリング１８’の湾曲面によって回転可能な状態に保持されるので、切削刃１６，２６に対する傾きの均一性を維持することができる。
本実施形態に係る鉛筆削器１では、鉛筆差込口１１，２１から切削刃１６，２６に至る保持空間を長くし、更にその空間部に配された筒部材１３ａ，２３ａの内周面にＯリング１８，２８を取り付けたので、鉛筆を安定した状態で回転させることができ、切削精度を高めることが可能となる。
【実施例２】
【００２５】
次に、本発明の第２実施形態としての鉛筆削器１０１を、図９を参照して説明する。この鉛筆削器１０１は、図１０に示すように、ケース１０’の一側面に設けられた鉛筆差込口１１からケース内部に向けて鉛筆を差し込み、そのケース１０’の他側面に取り付けられたハンドル３０を持ち、糸巻きの要領でケース１０’を回転させて鉛筆を削る構造のものである。
この実施例は、単一の差込口１１における切削によって図２の形状に鉛筆を削ることを可能とするものであり、筆差込口１１に連続して筒部材１３ａ’からなる鉛筆導入部１３’と、縮径する円錐状の鉛筆保持部１４’とを設けて構成される。
【００２６】
鉛筆保持部１４’には、その傾斜面に沿ってスリット１５が設けられており、スリット１５に沿って第１の切削刃１６が設けられる。第１の切削刃１６の先端部には、第２の切削刃２６が設けられる。この第２の切削刃２６は、第１の切削刃１６の先端部よりも鉛筆差込口１１寄りの位置に配設される。
第２の切削刃２６の刃先は、図１１に示すように、鉛筆に略直交する方向に延びており、第１の切削刃１６によって切削されたテ―パ部５の先端を切り落とし、平坦面からなるリング部４と傾斜状のテ―パ部５を有し、リング部４の中心から鉛筆芯３を露出させた形状の芯先を形成する。
【００２７】
ケース１０’の他側部は開口部となっており、その開口部に蓋部材３１が取り付けられている。蓋部材３１は、ケース１０’の開口部を封止するための本体部と、その延長部と、そこから直角方向に延びる筒部と、によって構成されており、筒部には、ハンドル３０が回転可能に取り付けられている。
筒部は、ケース１０とは反対側に向かって延びており、鉛筆差込口に差し込まれる鉛筆の軸線(鉛筆芯３の中心)から所定距離Ｍ離れた位置において、鉛筆芯３と平行になるように配設されている。筒部３４の内部には、ハンドル３０が遊びを持たせた状態で取り付けられている。
【００２８】
この実施例の鉛筆削器１０１においても、鉛筆差込口１１から鉛筆保持部１４’に向かう鉛筆導入部１３’を、鉛筆保持部１４’に連続する筒部材１３ａ’によって構成し、その内周に、鉛筆の周側面に摺接されるＯリング１８’を複数個所に配している。
これによって、ケース内に差し込まれた鉛筆を切削刃１６、２６に対して均一の傾きで圧接させながら回転させることが可能となる。弾性部材からなるＯリング１８，２８によって鉛筆を保持した状態で、その湾曲面において鉛筆の回転が確保されるので、切削中に鉛筆に傾きが生じることはなく、鉛筆の太さにバラつきがある場合であっても、切削不良は発生し難い。
【００２９】
なお、本実施例において、第２の切削刃２６は、第１の切削刃１６と同一部材によって構成してもよい。この場合、図１２に示すように、第１の切削部１６’の回転方向（Ｌ）前端部を、鉛筆芯３に直交する方向に屈出し、その屈曲部において第２の切削刃２６’を構成してもよい。
この場合、図１２（ａ）に示す第１変形例のように、第１の切削刃１６’の刃先に連続して第２の切削刃２６’の刃先を設けてもよいし、図１２（ｂ）に示す第２変形例のように、第１の切削刃１６”から屈曲形成された第２の切削刃２６”が、先端部に向かうにつれて鉛筆芯３の周側面に略摺接されるように設計してもよい。
【００３０】
第１の切削刃１６に連続する第２の切削刃２６の構成としては、円孤状の内径に刃先を設けた螺旋刃であってもよい。また、第１の切削刃１６による切削が停止された際に、自動的に第２の切削刃２５ｂが所定の切削位置へと移動されるように設計してもよい。この場合、図１３に示すように、ストッパ１７’を、切削前の鉛筆の先端部が当接される位置に上下動可能に配設する。ストッパ１７’の側壁面にギア４０を設け、そのギア４０に歯車４１を取り付け、この歯車４１の一側にギア４２を介して、第２の切削刃２６を上下動させるための昇降部材４３が設けられる。
【００３１】
第１の切削刃１６によってテ―パ部５が形成されるに従い昇降部材４３が上昇し、それに連動されて第２の切削刃２６が切削位置へと下降される。そして、ケース１０’の上壁面に当接することで、第２の切削刃２６による切削が停止される。このように構成することで、本体部６が傾斜状に削られていくに従って昇降部材４３が下降して第２の切削刃２６による切削を開始させることが可能となる。これによって、テ―パ部５の形成と同時に鉛筆芯３が露出される。
【実施例３】
【００３２】
次に、本発明の第３実施形態としての鉛筆削器２０１を、図１３を参照して説明する。
この鉛筆削器２０１は、第２の切削刃を有しない点、ハンドル３０’をケース１０”の側に設けた点、蓋部材を消しゴム５０によって構成した点において、第２実施形態の鉛筆削器１０１と相違する。
この鉛筆削器２０１は、芯を尖らせた状態に削るものであり、鉛筆差込口１１に連続して筒部材１３ａ’からなる鉛筆導入部１３’と、縮径する円錐状の鉛筆保持部１４’と、を設けて構成される。鉛筆保持部１４’には、その傾斜面に沿ってスリット１５が設けられており、スリット１５に沿って第1の切削刃１６が取り付けられている。
【００３３】
ケース１０”の他側部には、蓋部材としての消しゴム５０を取り付けるための係止突起５１が設けられている。この係止突起５１に消しゴム５０の内側面に設けられた凹部を嵌め込むことで、消しゴムの外れを防止している。
この実施例の鉛筆削器２０１においても、鉛筆差込口１１から鉛筆保持部１４’に向かう鉛筆導入部１３’を、鉛筆保持部１４’に連続する筒部材１３ａ’によって構成し、その内周に、鉛筆の周側面に摺接されるＯリング１８’を２箇所に配している。
【００３４】
使用に際しては蓋部材としての消しゴム５０を取り外して使用する（図１４を参照）。
鉛筆差込口１１に鉛筆を差し込んだ状態で、ハンドル３０を回転させることで、鉛筆導入部１３’において、鉛筆がＯリング１８’によって保持されながら、その湾曲面上を摺動する。本実施例においても、ケース内に差し込まれた鉛筆を切削刃１６に対して均一の傾きで圧接させながら回転させることができるので、切削途中で鉛筆に傾きが生じることはなく、切削不良の発生を防止できる。
【００３５】
なお、本実施形態の鉛筆削器は、必ずしもケースにハンドルを設けた「糸巻き式」の鉛筆削器である必要はなく、通常の鉛筆を手で回して削る「手回し式」の鉛筆削器であってもよい。この場合も、鉛筆導入部１３’に断面湾曲状のＯリング１８’を設けることで、Ｏリング１８’の弾性変形によって、鉛筆の太さのばらつきを吸収することができる。鉛筆の周側面がＯリング１８’の湾曲面上を摺接しながら回転されるので、切削刃に対する均一な傾きを保った状態で切削することが可能となる。
なお、本実施形態は、蓋部材を消しゴム５０によって構成したが、蓋部材をスタンプとして構成してもよい。いずれも弾性部材によって蓋部を形成することで、鉛筆差込口１１への封止を確実なものとすることができる。
【産業上の利用可能性】
【００３６】
本発明は、筆記用具としての鉛筆に限らず、長尺部材の中心に芯材を備えた構造のものであれば、あらゆる産業分野において使用される鉛筆状部材の削り器に適用することができる。
【符号の説明】
【００３７】
１…鉛筆削器
２…鉛筆
３…鉛筆芯
４…リング部
５…テ―パ部
６…本体部
１０…ケース
１１、２１…鉛筆差込口
１２…屑収集部
１３、２３…鉛筆導入部
１４，２４…鉛筆保持部
１５…スリット
１６、２６…切削刃
１７…ストッパ
１８、２８…Ｏリング
１９，２９…ベアリング
３０…ハンドル
４０…ギア
５０…消しゴム
【図１】
2018176674.tif 000003
【図２】
2018176674.tif 000004
【図３】
2018176674.tif 000005
【図４】
2018176674.tif 000006
【図５】
2018176674.tif 000007
【図６】
2018176674.tif 000008
【図７】
2018176674.tif 000009
【図８】
2018176674.tif 000010
【図９】
2018176674.tif 000011
【図１０】
2018176674.tif 000012
【図１１】
2018176674.tif 000013
【図１２】
2018176674.tif 000014
【図１３】
2018176674.tif 000015
【図１４】
2018176674.tif 000016
【図１５】
2018176674.tif 000017